(57)【要約】      （修正有）【課題】製造およびフィルム張設作業が容易でフィルム張替え作業もでき、しかも緊張力の強いフィルム固定装置を提供する。【解決手段】張設する面積にあった寸法のフィルムＦを骨材３０上に固定したレール状支持部材１０上に載置し、順次長尺の固定部材２０を被着させていく。固定部材２０の被着は、支持部材１０の一方の横辺部１５と支持案内部１４の間に固定部材２０の固定上案内部２４を押し込み、その後、固定部材２０の固定上案内部２４側端部を支点にして、固定部材２０の基部２３と固定係止め辺２５との折り曲げ部を、支持部材１０の他方の支持案内部１４を外側に押し広げるように支持案内部１４と横辺部１５の間に押し込むことにより行われる。【選択図】図７
2004187670.tif 000002
【特許請求の範囲】
【請求項１】
水平な底部（１１）と、該底部（１１）の両端から上方に伸びる側壁部（１２）と、該側壁上方に設けられた固定部材辺嵌合空間（１３）と、該固定部材辺嵌合空間（１３）の上端を画定し且つ固定部材辺（２１）の当該嵌合空間（１３）への嵌合を案内する支持案内部（１４）を有する断面形状の支持部材（１０）と、前記固定部材辺嵌合空間（１３）に嵌合する寸法を有する固定部材辺（２１）と、該固定部材辺（２１）の一端に設けた押圧部を兼ねる下方案内辺（２２）を有する断面形状の固定部材（２０）とからなり、固定部材（２０）の固定部材辺（２１）が支持部材（１０）の固定部材辺嵌合空間（１３）に嵌合されてフィルムを固定するフィルム固定装置。
【請求項２】
支持部材（１０）の固定部材辺嵌合空間（１３）は、両方の側壁部（１２）の上端で外側に９０度以下の角度で曲げられて外側下方に伸びる横辺部（１５）と、該横辺部（１５）の先端で９０度以下の角度で内側に曲げられて上方に伸びる支持係止め辺（１６）で横方向を画定されており、支持案内部（１４）は支持係止め辺（１６）の上端で先端が内側に巻き込まれた断面形状を有するとともに、固定部材（２０）の固定部材辺（２１）が支持部材（１０）の支持案内部（１４）先端間距離よりも広く且つ上記横辺部（１５）の幅方向外方先端間距離よりも狭い幅を有する基部（２３）と、該基部（２３）の一端で先端が上方内側に巻き込まれた固定上案内部（２４）と、上記基部（２３）の他端で９０度以下の角度で曲げられて内側上方に伸びる固定係止め辺（２５）とからなり、下方案内辺（２２）が前記固定係止め辺（２５）の先端で９０度以下の角度で外側に曲げられて外側下方に伸び、その先端に先端が下方内側に巻き込まれた固定下案内部（２６）を有する断面形状を有し、支持部材（１０）と固定部材（２０）が、当該固定部材（２０）の固定上案内部（２４）が前記支持部材（１０）の一方の横辺部（１５）と支持案内部（１４）の間に嵌合され、固定部材（２０）の基部（２３）下面が支持部材（１０）の横辺部（１５）上面と接触しているとともに、固定部材（２０）の固定上案内部（２４）の湾曲外面が支持部材（１０）の支持係止め辺（１６）の内面と接触しており、固定部材（２０）の固定係止め辺（２５）と固定下案内部（２６）の間に前記支持部材（１０）の他方の支持案内部（１４）が嵌合され、固定部材（２０）の固定係止め辺（２５）および下方案内辺（２２）の内面が支持部材（１０）の支持案内部（１４）の湾曲外面と接触する位置関係にある請求項１に記載のフィルム固定装置。
【請求項３】
水平な底部（１１’）と、該底部（１１’）の上方に設けられた固定部材辺嵌合空間（１３’）と、該固定部材辺嵌合空間（１３’）の上端を画定し且つ固定部材辺（２１）の当該嵌合空間（１３’）への嵌合を案内する支持案内部（１４’）を有する断面形状の支持部材（１０’）と、前記固定部材辺嵌合空間（１３’）に嵌合する寸法を有する固定部材辺（２１）と、該固定部材辺（２１）の一端に設けた押圧部を兼ねる下方案内辺（２２）を有する断面形状の固定部材（２０）とからなり、固定部材（２０）の固定部材辺（２１）が支持部材（１０’）の固定部材辺嵌合空間（１３’）に嵌合されてフィルムを固定するフィルム固定装置。
【請求項４】
支持部材（１０’）の固定部材辺嵌合空間（１３’）は、支持部材（１０’）の両先端で９０度以下の角度で内側に曲げられて上方に伸びる支持係止め辺（１６’）で横方向を画定されており、支持案内部（１４’）は支持係止め辺（１６’）の上端で先端が巻き込まれた断面形状を有するとともに、固定部材（２０）の固定部材辺（２１）が支持部材（１０’）の支持案内部（１４’）先端間距離よりも広く且つ上記支持部材（１０’）の幅方向外方先端間距離よりも狭い幅を有する基部（２３）と、該基部（２３）の一端で先端が上方内側に巻き込まれた固定上案内部（２４）と、上記基部（２３）の他端で９０度以下の角度で曲げられて内側上方に伸びる固定係止め辺（２５）とからなり、下方案内辺（２２）が前記固定係止め辺（２５）の先端で９０度以下の角度で外側に曲げられて外側下方に伸び、その先端に先端が下方内側に巻き込まれた固定下案内部（２６）を有する断面形状を有し、支持部材（１０’）と固定部材（２０）が、当該固定部材（２０）の固定上案内部（２４）が前記支持部材（１０’）の底部（１１’）と支持案内部（１４’）の間に嵌合され、固定部材（２０）の固定上案内部（２４）の先端が、支持部材（１０’）の内面と支持係止め辺（１６’）の内面とに接触しているとともに、固定部材（２０）の固定上案内部（２４）の湾曲外面が支持部材（１０’）の支持係止め辺（１６’）の内面と接触しており、固定部材（２０）の固定係止め辺（２５）と固定下案内部（２６）の間に前記支持部材（１０’）の他方の支持案内部（１４’）が嵌合され、固定部材（２０）の固定係止め辺（２５）および下方案内辺（２２）の内面が支持部材（１０’）の支持案内部（１４’）の湾曲外面と接触する位置関係にある請求項３に記載のフィルム固定装置。
【請求項５】
支持部材（１０、１０’）の底部（１１、１１’）が建造物の骨材に固定されている請求項１〜４のいずれかに記載のフィルム固定装置。
【請求項６】
１つの骨材に２つの支持部材（１０、１０’）が並列に固定されている請求項５に記載のフィルム固定装置。
【請求項７】
それぞれが支持部材（１０、１０’）の支持案内部（１４、１４’）を嵌合した固定部材（２０）の固定係止め辺（２５）の間を覆うカバー部材（３３）を備えている請求項６に記載のフィルム固定装置。
【請求項８】
支持部材（１０）の側壁部（１２）間に嵌め込まれる補助固定部材（３２）を備えている請求項１，２，５〜７のいずれか１に記載のフィルム固定装置。
【発明の詳細な説明】
【０００１】
【産業上の利用分野】
本発明は、温室，園芸ハウス，牛舎，豚舎，鶏舎，雨天練習場，倉庫，駐車場，駐輪場あるいは仮設テント等に張設したフィルムの固定装置に関する。
【０００２】
【従来の技術】
例えばフィルムを張設した温室にあっては、フィルムに皺が形成されないようにフィルムを張設する必要がある。
このため、従来、図１，２に示すように、上面の開口部を幅狭にしたシート止着溝１ａを有する長尺支持フレーム１のシート止着溝１ａに、台形波状に屈曲加工された弾性的な係止線条２を、シート３を押し込んだ状態で嵌合させている。また、シート止め材１と係止線条２の間に中レール４ａ，４ｂを介在させ、中レール４ａ，４ｂの全面をフィルムに当接させる態様をとって係止線条２を嵌合させ、フィルムの止着を強固にしている（特開２００１−３０９７２６号公報，特開２００２−１４２５７５号公報参照）。
特開平６−１４６５６号公報では、図３に示すように、固定部材５と支持部材６との間にフィルム３を挟持し、次いで固定部材５の上から固定用ビス７を、フィルム４を貫通してハウス骨材８まで打ち込み、固定部材５と支持部材６とを固定することにより、フィルムを固定することが記載されている。さらに特公平７−１２１１８２号公報では、固定部材５と支持部材６の断面形状を、フィルムの押さえ込み箇所９を増やすように設計変更することにより、緊張力を高めて張設し、皺の発生を防いでいる。
【０００３】
【発明が解決しようとする課題】
前者の特開２００１−３０９７２６号公報，特開２００２−１４２５７５号公報に記載されたような中レール４ａ，４ｂを使用する技術では、一方の中レールの底部フレームを他方の中レールのガイド溝に嵌合させ、かつ中レールの側面を長尺支持フレーム１のシート止着溝１ａ内面に当接させるようにしている。そしてさらに中フレームを押されるために台形波状の係止線条２を嵌合させている。このように中レールおよび係止線条を使用しての固定では、部品点数が多くなっている。また、長尺支持フレーム１内への中レール４ａ，４ｂの嵌合作業および台形波状の係止線条２の嵌合作業を必要とするのでフィルムの張設作業が煩雑になり、施工性が悪くなる。このようなことから、全体としてコスト高となる。さらにまた、嵌合させた中レールあるいは係止線条はその後取出し難いので、フィルムの張替えが困難である。取外しのための治具も必要になる。
【０００４】
後者の特開平６−１４６５６号公報、特公平７−１２１１８２号公報に記載されたような技術では、固定部材５の上から固定用ビス７を、フィルム４を貫通してハウス骨材３まで打ち込み、固定部材５と支持部材６とを固定することにより、フィルム４を固定している。このような態様では、固定部材５そのものが複雑形状になるばかりでなく、固定用ビスを別途必要とするためコスト高になる。また、ビス打ち作業も必要で、作業が煩雑化する。さらに、フィルム４は固定用ビス７で孔が空けられているので、ビス孔から漏水する可能性がある。さらにまた、この孔がビスによるものであるため、切込みが生成されており、風雨によるフィルムの振動等の僅かな張力変化が累積して応力集中を起こし、フィルムが破断しやすいという欠点がある。
本発明は、このような問題を解消すべく案出されたものであり、製造およびフィルム張設作業が容易で、しかも緊張力の強いフィルム固定装置を提供すること目的とする。
【０００５】
【課題を解決するための手段】
本発明のフィルム固定装置は、その目的を達成するため、水平な底部１１と、該底部１１の両端から上方に伸びる側壁部１２と、該側壁上方に設けられた固定部材辺嵌合空間１３と、該固定部材辺嵌合空間１３の上端を画定し且つ固定部材辺２１の当該嵌合空間１３への嵌合を案内する支持案内部１４を有する断面形状の支持部材１０と、前記固定部材辺嵌合空間１３に嵌合する寸法を有する固定部材辺２１と、該固定部材辺２１の一端に設けた押圧部を兼ねる下方案内辺２２を有する断面形状の固定部材２０とからなり、固定部材２０の固定部材辺２１が支持部材１０の固定部材辺嵌合空間１３に嵌合されてフィルムを固定する構成としている。
【０００６】
支持部材１０の固定部材辺嵌合空間１３が、両方の側壁部１２の上端で外側に９０度以下の角度で曲げられて外側下方に伸びる横辺部１５と、該横辺部１５の先端で９０度以下の角度で内側に曲げられて上方に伸びる支持係止め辺１６で横方向を画定されており、支持案内部１４が支持係止め辺１６の上端で先端が内側に巻き込まれた断面形状を有するとともに、固定部材２０の固定部材辺２１が支持部材１０の支持案内部１４先端間距離よりも広く且つ上記横辺部１５の幅方向外方先端間距離よりも狭い幅を有する基部２３と、該基部２３の一端で先端が上方内側に巻き込まれた固定上案内部２４と、上記基部２３の他端で９０度以下の角度で曲げられて内側上方に伸びる固定係止め辺２５とからなり、下方案内辺２２が前記固定係止め辺２５の先端で９０度以下の角度で外側に曲げられて外側下方に伸び、その先端に先端が下方内側に巻き込まれた固定下案内部２６を有する断面形状を有し、支持部材１０と固定部材２０が、当該固定部材２０の固定上案内部２４が前記支持部材１０の一方の横辺部１５と支持案内部１４の間に嵌合され、固定部材２０の基部２３下面が支持部材１０の横辺部１５上面と接触しているとともに、固定部材２０の固定上案内部２４の湾曲外面が支持部材１０の支持係止め辺１６の内面と接触しており、固定部材２０の固定係止め辺２５と固定下案内部２６の間に前記支持部材１０の他方の支持案内部１４が嵌合され、固定部材２０の固定係止め辺２５および下方案内辺２２の内面が支持部材１０の支持案内部１４の湾曲外面と接触する位置関係にあることが好ましい。
【０００７】
本発明フィルム固定装置を構成する固定部材２０は、既存の、すなわち図１，２において１で示されるような長尺支持フレームにも嵌合させてフィルムを固定することができる。この場合、支持部材１０’は、水平な底部１１’と、該底部１１’の上方に設けられた固定部材辺嵌合空間１３’と、該固定部材辺嵌合空間１３’の上端を画定し且つ固定部材辺２１の当該嵌合空間１３’への嵌合を案内する支持案内部１４’を有する断面形状となる。
そして、支持部材１０’の固定部材辺嵌合空間１３’が、支持部材１０’の両先端で９０度以下の角度で内側に曲げられて上方に伸びる支持係止め辺１６’で横方向を画定されており、支持案内部１４’が支持係止め辺１６’の上端で先端が巻き込まれた断面形状を有するとともに、固定部材２０の固定部材辺２１が支持部材１０’の支持案内部１４’先端間距離よりも広く且つ上記支持部材１０’の幅方向外方先端間距離よりも狭い幅を有する基部２３と、該基部２３の一端で先端が上方内側に巻き込まれた固定上案内部２４と、上記基部２３の他端で９０度以下の角度で曲げられて内側上方に伸びる固定係止め辺２５とからなり、下方案内辺２２が前記固定係止め辺２５の先端で９０度以下の角度で外側に曲げられて外側下方に伸び、その先端に先端が下方内側に巻き込まれた固定下案内部２６を有する断面形状を有し、支持部材１０’と固定部材２０が、当該固定部材２０の固定上案内部２４が前記支持部材１０’の底部１１’と支持案内部１４’の間に嵌合され、固定部材２０の固定上案内部２４の先端が、支持部材１０’の内面と支持係止め辺１６’の内面とに接触しているとともに、固定部材２０の固定上案内部２４の湾曲外面が支持部材１０’の支持係止め辺１６’の内面と接触しており、固定部材２０の固定係止め辺２５と固定下案内部２６の間に前記支持部材１０’の他方の支持案内部１４’が嵌合され、固定部材２０の固定係止め辺２５および下方案内辺２２の内面が支持部材１０’の支持案内部１４’の湾曲外面と接触する位置関係にあることが好ましい。
【０００８】
前記の支持部材１０，１０’がビス３１等でハウスの骨材３０に固定されている。
１つの骨材３０に２個の支持部材１０，１０’を並列で設置してもよい。この場合、それぞれの支持部材１０，１０’に嵌め込まれた２つの固定部材２０同士を連結するカバー部材３３を設置すると、さらに固定強度が増加する。
フィルムを固定する際、支持部材１０の２つの側壁部１２間に嵌る補助固定部材３２を使用することもできる。補助固定部材としては、側壁部１２間距離と同じまたは僅かに広い幅を有する断面Ｕ字状の棒状体、あるいは台形波状に屈曲加工された弾性的線条体を使用することもできる。
【０００９】
【実施の形態】
本発明者等は、構造が簡素で、製造およびフィルム張設作業が容易で、しかも緊張力を高く維持できるフィルムの固定装置について検討した。
その結果、素材として金属板を使用し、金属板の弾性復元作用を最大限活用することにより、フィルムの保持・固定力の強い固定構造を見出した。また固定装置構造を検討する上で、金属板の弾性復元力を最大限活用して着脱作業が容易な構造を見出した。
まず図５を用いて本発明の第１の態様について説明する。本発明固定装置を構成する１つの要素である支持部材１０（図５ａ）は、温室等の骨組みを構成する骨材の上面にビス等で固定されるレール状のものである。このレール状支持部材１０の断面形状は、水平な底部１１と、この底部１１の両端から上方に伸びる側壁部１２と、側壁上方に設けられた固定部材辺嵌合空間１３と、固定部材辺嵌合空間１３の上端を画定し且つ固定部材辺２１の当該嵌合空間１３への嵌合を案内する支持案内部１４を有する形状に成形されている。側壁部１２は、９０度以下の角度で曲げられて内側上方に伸びるものが好ましい。そして側壁上方に設けられた固定部材辺嵌合空間１３は、側壁部１２の上端で外側に９０度以下の角度で曲げられて外側下方に伸びる横辺部１５と、この横辺部１５の先端で９０度以下の角度で内側に曲げられて上方に伸びる支持係止め辺１６と、この係止め辺１６の上端で先端が内側に巻き込まれた上記支持案内部１４とで画定される断面形状を有するものが好ましい。
この形状は、所定幅に裁断された金属帯を多段のロール成形を行った後、切断することにより成形することができる。多段の曲げ加工により、幅方向端面は、先端が内側に巻き込まれた態様となっているので、切断端面がフィルムに当接して破断の原因となるようなキズを付けることはない。そして、素材として冷延鋼板を用いる場合、０．４〜０．８ｍｍ程度の板厚であれば十分である。
【００１０】
フィルムを固定するため、上記レール状支持部材１０に長尺の固定部材２０を被せる態様を採る。
長尺状の固定部材２０（図５ｂ）の断面形状は、前記固定部材辺嵌合空間１３に嵌合する寸法を有する固定部材辺２１と、この固定部材辺２１の一端に設けた押圧部を兼ねる下方案内辺２２を有する形状に成形されている。固定部材２０の固定部材辺２１は、支持部材１０の支持案内部１４先端間距離よりも広く且つ上記横辺部１５の幅方向外方先端間距離よりも狭い幅を有する基部２３と、この基部２３の一端で先端が上方内側に巻き込まれた固定上案内部２４と、上記基部２３の他端で９０度以下の角度で曲げられて内側上方に伸びる固定係止め辺２５と、この固定係止め辺２５の先端で９０度以下の角度で外側に曲げられて外側下方に伸びる上記下方案内辺２２と、この下方案内辺２２の先端で先端が下方内側に巻き込まれた固定下案内部２６を有する形に成形されているものが好ましい。
【００１１】
この際、各部材を構成する金属板の弾性復元力の作用で、固定部材２０の固定上案内部２４が前記支持部材１０の一方の横辺部１５と支持案内部１４の間に嵌合され、固定部材２０の基部２３下面が支持部材１０の横辺部１５上面と接触しているとともに、固定部材２０の固定上案内部２４の湾曲外面が支持部材１０の支持係止め辺１６の内面と接触しており、固定部材２０の固定係止め辺２５と固定下案内部２６の間に前記支持部材１０の他方の支持案内部１４が嵌合され、固定部材２０の固定係止め辺２５および下方案内辺２２の内面が支持部材１０の支持案内部１４の湾曲外面と接触する位置関係になるように寸法調整されている。
この形状も、所定幅に裁断された金属帯を多段のロール成形を行った後、切断することにより成形することができる。板厚も前記支持部材と同程度で十分である。金属板の切断端面がフィルムに当接して破断の原因となるようなキズを付けることがないことは、前述した通りである。そして、素材として冷延鋼板を用いる場合、０．４〜０．８ｍｍ程度の板厚であれば十分である。
【００１２】
次に、この固定装置を使用して温室にフィルムを張り付ける態様を説明する。
所要数のレール状支持部材１０を、温室を構成する骨材３０にビス３１等を用いて固定する。この際、フィルムの張り付け方向により、骨材３０に沿って配置する場合と、図６に示すように、複数の骨材３０からなる列に直交するようにレール状支持部材１０を配置する場合が考えられる。レール状支持部材１０の配置は、温室構造体の全体に亘って細かく配置する必要はない。少なくとも下端部，天井上端部を含めた主要箇所には、温室構造体の全長に亘りレール状支持部材１０を配置し、他の中間部分にあっては、例えば千鳥状等の配設も可能である。必要張力を勘案しつつ適宜の設置を行えばよい。
【００１３】
本発明フィルム固定装置を使用してフィルムを固定した状態を図７に示す。
張設する面積にあった寸法のフィルムをレール状支持部材１０上に載置し、順次長尺の固定部材２０を被着させて行く。固定部材２０の被着は、その固定部材辺２１を支持部材１０の固定部材辺嵌合空間１３にはめ込む。すなわち、支持部材１０の一方の横辺部１５と支持案内部１４の間に固定部材２０の固定上案内部２４を押し込み、その後、固定部材２０の固定上案内部２４側端部を支点にして下方案内辺２２を下方に押し下げ、固定部材２０の基部２３と固定係止め辺２５との折り曲げ部を、支持部材１０の他方の支持案内部１４を外側に押し広げるように支持案内部１４と横辺部１５の間に押し込むことにより行われる。固定部材２０の固定上案内部２４側端部を支点にした回転作用と支持部材１０の弾性変形作用を有効に利用することにより、下方案内辺２２を下方に押し下げる比較的小さい押し込み力で支持案内部１４を外側に押し広げることができ、固定部材２０の被着作業は、いわゆるワンタッチで行うことができる。
【００１４】
両部材の素材として、０．４〜０．８ｍｍ程度の冷延鋼板が使用されていると、被着後、支持部材１０および固定部材の変形部は弾性復元して元の形状に戻り、フィルムは、固定部材２０の基部２３下面と支持部材１０の横辺部１５上面、固定部材２０の固定上案内部２４の湾曲外面と支持部材１０の支持係止め辺１６の内面、固定部材２０の固定係止め辺２５および下方案内辺２２の内面と支持部材１０の支持案内部１４の湾曲外面とで圧接保持されることとなる。保持力が強く、時間が経ても保持力が低下するようなこともなく、高い緊張力でフィルムを張設できる。
なお、支持部材１０の高さは、降雪等でフィルム自身が伸び、弛んでもフィルムが下部の骨材に接触して滑雪を妨害したり結露水が溜まることがないように、フィルムの厚さ，強さ等を勘案して、弛んだフィルムが骨材に接触しないように予め調整しておくことが好ましい。
【００１５】
ところで、固定部材２０の固定上案内部２４側の保持力と固定係止め辺２５側の保持力を対比してみると、固定上案内部２４側の保持力の方が格段に強い。固定上案内部２４側から外れることはない。そこで実際にフィルムを張設した際にフィルムが受ける荷重で固定部材２０が外れることを防ぐためにも、展張フィルムが広い方に向けて固定上案内部２４側を配するように固定部材２０を被着することが好ましい。フィルム端部側には固定係止め辺２５側を配する。フィルムが広く張られている領域にあっては、上記固定上案内部２４側，固定係止め辺２５側の方向を互い違いにすることで、フィルム中間部を固定することも可能である。
【００１６】
上記したように、本発明フィルム固定装置を構成する固定部材２０は、既存の、すなわち図１，２において１で示されるような長尺支持フレームにも嵌合させてフィルムを固定することができる。この場合、図８に示すように、支持部材１０’は、水平な底部１１’と、該底部１１’の上方に設けられた固定部材辺嵌合空間１３’と、該固定部材辺嵌合空間１３’の上端を画定し且つ固定部材辺２１の当該嵌合空間１３’への嵌合を案内する支持案内部１４’を有する断面形状のレール状長尺体となる。底部１１’の上方に設けられた固定部材辺嵌合空間１３’と固定部材２０の形状・大きさおよび固定部材２０を支持部材１０’の固定部材辺嵌合空間１３’に嵌め込んだ時の各部位の位置関係は上位態様と全く同様となる（図９参照）。
【００１７】
さらに、フィルムのサイズには限界があり、大きな温室を１枚のフィルムのみで張設することはできない。また場合によっては部所に応じて光透過度の異なるフィルムを張設する必要もある。
複数枚のフィルムで張設する場合に、１つの方法として、支持部材１０の側壁部１２間に嵌め込まれる補助固定部材３２を使用する方法があげられる。
この場合、図１０に示すように、支持部材１０上に１枚目のフィルムＦの端部を載置した後、支持部材１０の側壁部１２間に補助固定部材３２を押し込んでフィルムＦを仮止めし、その後に２枚目のフィルムＦ端部を載置し、固定部材２０を被着して、２枚のフィルムを同時に固定するものである。このときの補助固定部材３２としては、従来から使用されている台形波状に屈曲加工されたスプリングや、側壁部１２間距離と同じまたは僅かに広い幅を有する断面Ｕ字状の棒状体を使用することができる。
【００１８】
複数枚のフィルムで張設する２つめの方法として、骨材３０に固定する支持部材１０を２列並列に設置することがあげられる。この場合、図１１に示すように、２つの支持部材１０を並列で骨材３０に固定し、一方の支持部材１０上にフィルムＦの端部を載置し、張設フィルムが広がる方に向けて固定上案内部２４側を配するように固定部材２０を押し込んで、フィルムＦを固定する。さらに他方の支持部材１０上に他のフィルムＦの端部を載置し、張設フィルムが広がる方（上記とは逆の方向）に向けて固定上案内部２４側を配するように固定部材２０を押し込んで、フィルムＦを固定する。
【００１９】
さらに、支持部材１０の支持案内部１４を嵌合した固定部材２０の固定係止め辺２５の間にカバー部材３３を配することが好ましい。このカバー部材３３の配設により、固定部材２０の固定係止め辺２５側からの外れもなくなり、フィルムの固定強度はさらに増加する。
カバー部材３３は、平面板の両端部が９０度以下の角度で下方内側に折り曲げられ、固定係止め辺２５の間に押し込まれる際に外方に押し広げられ、押し込まれた後板材の弾性復元作用で折り曲げ辺の内面が固定係止め辺２５の外面に接触するように寸法調整されたものが好ましい。カバー部材３３にも板厚０．４〜０．８ｍｍ程度の冷延鋼板を使用することが好ましい。
【００２０】
支持部材１０および固定部材２０、さらにはカバー部材３３を構成する金属板素材としては、アルミニウム合金板、ステンレス鋼板等も使用できるが、安価で成形性に優れ弾性復元力の大きい板厚０．４〜０．８ｍｍ程度の冷延鋼板を使用することが好ましい。さらに耐食性の観点から、塗装鋼板，めっき鋼板、特にＺｎ−Ａｌ−Ｍｇ系の溶融めっき鋼板を使用することが好ましい。骨材３０を構成する素材としても、支持部材１０との接触面の耐食性改善のために、Ｚｎ−Ａｌ−Ｍｇ系溶融めっき鋼板を使用することが好ましい。
【００２１】
【発明の効果】
以上に説明したように、本発明においては、フィルム固定装置を構成する支持部材と固定部材の形状を工夫することにより、製造およびフィルム張設作業が容易で、しかも緊張力の強いフィルム固定装置を提供することができた。特に、支持部材と固定部材の形状を、フィルムが素材金属板の切断端面に触れることがない形とすることにより、フィルムのキズ付きが防止でき、支持部材と固定部材の接触点を多くすることにより、強い保持力で緊張力を高くフィルムを張設することができる。また固定部材の回転作用と支持部材の弾性変形作用を最大限活用できて、比較的小さい押し込み力で固定部材を支持部材に嵌着することができるようになり、フィルム張設作業をいわゆるワンタッチで行えるようになった。さらにフィルム張替え時に固定部材を比較的小さな力で支持部材から取り外すことができ、フィルムの張替え作業も容易に行えるようになった。しかも、本発明によるフィルムの固定装置を構成する支持部材、固定部材のいずれもが、金属板を順次折り曲げて製造された構造となっているので、コスト安で製造することができる。
【図面の簡単な説明】
【図１】従来のフィルム固定方法を説明する図
【図２】従来のフィルム固定構造の断面図
【図３】従来のフィルム固定方法の他の例を説明する図
【図４】従来のフィルム固定構造の他の断面図
【図５】本発明フィルム固定装置を構成する固定部材（ａ）と支持部材（ｂ）のそれぞれの断面形状を説明する図
【図６】本発明のフィルム固定装置の支持部材を骨材に固定する態様を説明する図
【図７】本発明フィルム固定装置を使用してフィルムを固定した状態を説明する断面図
【図８】本発明フィルム固定装置を構成する別の態様の固定部材（ａ）と支持部材（ｂ）のそれぞれの断面形状を説明する図
【図９】本発明の別の態様のフィルム固定装置を使用してフィルムを固定した状態を説明する断面図
【図１０】補助固定部材を使用して２枚のフィルムを固定する態様を説明する断面図
【図１１】本発明の２つのフィルム固定装置を使用して２枚のフィルムを固定した状態を説明する断面図
【符号の説明】
１０，１０’：支持部材    １１，１１’：底部    １２：側壁部    １３，１３’：固定部材辺嵌合空間    １４，１４’：支持案内部    １５：横辺部
１６，１６’：支持係止め辺
２０：固定部材    ２１：固定部材辺    ２２：下方案内辺    ２３：基部
２４：固定上案内部    ２５：固定係止め辺    ２６：固定下案内部
３０：骨材    ３１：ビス    ３２：補助固定部材    ３３：カバー部材
Ｆ：フィルム
【図１】
2004187670.tif 000003
【図２】
2004187670.tif 000004
【図３】
2004187670.tif 000005
【図４】
2004187670.tif 000006
【図５】
2004187670.tif 000007
【図６】
2004187670.tif 000008
【図７】
2004187670.tif 000009
【図８】
2004187670.tif 000010
【図９】
2004187670.tif 000011
【図１０】
2004187670.tif 000012
【図１１】
2004187670.tif 000013